(57)【要約】【課題】  油隙を有する油入電気機器において、現地注油時に油隙中に気泡が残留した場合や、過負荷運転時に気泡が発生した場合にも、残留する気泡の大きさが制限され、有害気泡性放電が抑制された油入電気機器を提供する。【解決手段】  素線導体に絶縁紙テープが巻回された絶縁導体によりコイルが形成され、このコイル周囲の高電界部分に、絶縁部材で構成された絶縁隔壁が配置された絶縁構造の油入電気機器において、コイルの高電界部の絶縁導体表面と絶縁隔壁との間または絶縁隔壁の相互間に形成される油隙寸法を０．５ｍｍよりも広く、２ｍｍよりも狭くなるように形成したものである。【選択図】        図１
2005302802.tif 000002
【特許請求の範囲】
【請求項１】
素線導体に絶縁紙テープが巻回された絶縁導体によりコイルが形成され、該コイル周囲の高電界部分に絶縁部材で形成された絶縁隔壁が配置された絶縁構造の油入電気機器において、上記コイルの高電界部の上記絶縁導体表面と上記絶縁隔壁との間または上記絶縁隔壁相互間に形成される油隙寸法を０．５ｍｍよりも広く、２ｍｍよりも狭くなるように形成したことを特徴とする油入電気機器。
【請求項２】
素線導体に絶縁紙テープが巻回された絶縁導体によりコイルが形成され、該コイル周囲の高電界部分に絶縁部材で構成された絶縁隔壁が配置された絶縁構造の油入電気機器において、上記コイルの高電界部の上記絶縁導体表面と上記絶縁隔壁との間または上記絶縁隔壁相互間に形成される油隙寸法は２ｍｍよりも広く、１０ｍｍよりも狭くなるように形成したことを特徴とする油入電気機器。
【請求項３】
素線導体に絶縁紙テープが巻回された絶縁導体によりコイルが形成され、該コイル周囲の高電界部分に絶縁部材で構成された絶縁隔壁が配置された絶縁構造の油入電気機器において、上記コイルの高電界部の上記絶縁導体と絶縁隔壁との間に形成された油隙に気泡が残留した場合の気泡体積が５ｍｍ３以下になるように絶縁材料の充填部材が上記油隙に充填されていることを特徴とする油入電気機器。
【請求項４】
上記コイルグループ端面の高電界部に形成された油隙に充填する充填部材は、絶縁油が含浸できる繊維質絶縁材料であることを特徴とする請求項３記載の油入電気機器。
【発明の詳細な説明】
【技術分野】
【０００１】
この発明は、油入変圧器や油入リアクトル等のタンク内に鉄心、コイルが収容され、絶縁油が充填された油入電気機器に関するものである。
【背景技術】
【０００２】
油入電気機器のコイルには高電圧が課電されるものであり、そのコイルは絶縁紙が巻き付けられた絶縁導体を巻回して板状コイルを形成し、板状コイルを積み重ねた状態に組み合わされた構成である。コイルには高電圧が課電されるので、その外周部は高電界となるので、静電シールドを設けて電界緩和し、絶縁強度を確保するためにクラフトパルプを板状としたプレスボードを成形加工した絶縁隔壁が配置されて絶縁強度が確保されている。
【０００３】
このように構成された油入電気機器は、コイル部分は高電圧に課電され、鉄心部分、タンク壁は接地電位であり、コイル素線の表面、絶縁導体が巻回された表面、絶縁隔壁部分、絶縁油が流通する油隙部分等それぞれの部分で電圧分担して絶縁耐力が確保されている。各部の電界は、それぞれの部分の比誘電率に逆比例する電界強度で分布している。
【０００４】
絶縁紙、プレスボードなどのセルロース類の比誘電率は、絶縁油の比誘電率に対して２倍以上の値であり、絶縁油の単位厚さあたりの絶縁耐力も低いので、絶縁隔壁を一定間隔で配置したバリヤ構造とし、このバリヤ効果によって絶縁耐力が確保された構造となっている。
また、コイル外周部の電界が集中する部分に油隙が形成されると、絶縁油の比誘電率は絶縁紙や絶縁隔壁の材料のプレスボードの比誘電率の１／２以下で小さいので、電界強度が高くなり、絶縁耐力も低いことから高電界部の油隙は形成されないように構成することが好ましい。
電界集中するコイル外周部分に油隙ができないようにする構成としては、例えば特許文献１に示されたものがある。この特許文献１の構成は、コイル外周部の電界集中を緩和するために導電部分の曲率半径を大きくした部分で、コイル外周部の曲面形状に密着させるプレスボードの曲率半径が、加工誤差があるためにコイル側と異なる曲率半径に形成されて空隙ができるが、このような場合には、特許文献１に、コイルエンド部分に圧縮可能な絶縁物を介在させ、プレスボードを添着したときにも介在させた絶縁物により油隙が形成されないようにした構成が示されている。
このように構成すると、プレスボードの加工誤差があっても、介在させた絶縁物によって油隙の形成が回避できるようになり、絶縁信頼性が向上するというものである。
【０００５】
また、絶縁隔壁の絶縁油の循環路となる油隙を確保する部分において、油隙を所定の寸法に確保する油隙スペーサの材質を比誘電率の小さな絶縁材料の角材とした構成が特許文献２に示されている。
この構成は、油隙を所定の寸法に形成するために絶縁隔壁の間に配置する角形絶縁スペーサを、絶縁油の比誘電率に近づけた小さな比誘電率の絶縁材料としたものである。
絶縁スペーサを絶縁油に近い比誘電率とすることによって、油隙部における比誘電率の差による電界の乱れが回避され、油隙部の絶縁耐力を向上させることが出きるというものである。
【０００６】
【特許文献１】特開昭５７−０８３０１０号公報
【特許文献２】特開昭６２−１５２１１４号公報
【発明の開示】
【発明が解決しようとする課題】
【０００７】
このように構成された油入電気機器は、絶縁の弱点となる油隙部の電界分担を低くするとともに、油隙を適度に狭くする絶縁バリヤ構造とし、バリヤ効果により絶縁耐力が確保される構成となっている。しかし、過負荷運転時に気泡が発生することがあり、また、現地での再注油時に機器内部に気泡が残留することもあり、残留気泡が高電界の油隙部分に存在した場合には、気泡である空気は絶縁油の比誘電率に対して小さく、絶縁耐力も低いので、低電圧でも放電が発生し、放電発生部の近傍の油浸絶縁部材が損傷する問題点があった。
【０００８】
この発明は、油隙を有する油入電気機器において、現地注油時に油隙中に気泡が残留した場合や、過負荷運転時に気泡が発生した場合にも、残留する気泡の大きさが制限される構成として、有害気泡性放電が抑制された油入電気機器を提供することを目的とする。
【課題を解決するための手段】
【０００９】
素線導体に絶縁紙テープが巻回された絶縁導体によりコイルが形成され、このコイル周囲の高電界部分に、絶縁部材で構成された絶縁隔壁が配置された絶縁構造の油入電気機器において、コイルの高電界部の絶縁導体表面と絶縁隔壁との間または絶縁隔壁の相互間に形成される油隙寸法を０．５ｍｍよりも広く、２ｍｍよりも狭くなるように形成したものである。
【発明の効果】
【００１０】
この発明によれば、現地注油時に油隙中に気泡が残留した場合や、過負荷運転時に気泡が発生した場合にも、油隙を０．５ｍｍより広く、２ｍｍより狭くしたことにより、残留する気泡の大きさが制限されて、有害気泡性放電が抑制され、絶縁信頼性が確保された油入電気機器を構成することができる。
【発明を実施するための最良の形態】
【００１１】
実施の形態１．
油入変圧器や油入リアクトルの油入電気機器は、タンク内にコイルと鉄心が組み合わされた状態で収容され、内部に絶縁油が充填された構成である。図１は油入電気機器である油入変圧器のコイルの外周部の部分断面図である。
油入変圧器のコイルは、素線導体１に絶縁紙テープを巻回して素線絶縁２を形成した絶縁導体３を巻回して板状コイル５を形成して積み重ねた構成である。外周部には必要により絶縁導体３の外周部に電界集中を緩和する静電シールドが配置される場合もある。
【００１２】
高電圧に充電される板状コイル５の外周部は、曲率半径を大きくした構成であり、板状コイル５が積層された外周部の絶縁強度を確保するために、プレスボードを成型加工した複数の絶縁隔壁６が複数の油隙７を形成する状態に配置されて絶縁強度が確保されている。板状コイル５の外周部分は電界が集中する部分であり、絶縁油の比誘電率は素線絶縁２あるいは絶縁隔壁６の比誘電率に対して１／２以下であり、単位厚さあたりの電界分担が大きくなるが、油隙７中の電界は絶縁油の絶縁耐力以下となるように構成されている。
【００１３】
板状コイル５の部分がこのように構成された油入電気機器において、絶縁油の充填は、タンク内部を真空引きし、真空引きしながら脱気された絶縁油が充填されるので、気泡が残留することはないが、注油時の真空度が適正でない場合には、油隙７中に気泡が残留することがある。また、油入電気機器が過負荷運転された場合には内部に気泡が発生することもある。素線絶縁２と絶縁隔壁６との間等に閉塞空間が存在する場合には、気泡が残留する可能性がある。
このように油入電気機器中に気泡が存在した場合には、気泡の比誘電率は１であり、この値は絶縁油に対して１／２程度、素線絶縁２や絶縁隔壁６の比誘電率に対しては１／４以下であり、電位分担が非常に大きくなり、その部分に気泡性部分放電が発生し、この放電により周囲の絶縁部材に損傷を与えることが想定される。
【００１４】
図２は油隙に気泡が存在する場合の、油隙寸法と気泡性放電の見かけの電荷量の関係を示す。図２のように、油隙寸法が大きい場合には、気泡性放電電荷量は大きいが、油隙寸法が小さくなると見かけの気泡性放電電荷量は小さくなっている。このことは油隙寸法を小さくすると絶縁部材に対して有害な気泡性放電が抑制されることを示すものである。
図３は横軸に絶縁隔壁６の間の油隙寸法をとり、縦軸に気泡体積をとり、各油隙寸法に対して、有害気泡性放電が発生する領域を示したものである。図中の曲線１０の上部１１が有害気泡性放電領域であり、曲線１０の下部が安全領域１２である。
即ち、油隙が２ｍｍより狭いと、油隙寸法が狭くなるほど絶縁部材に損傷を与える有害気泡性放電が発生する気泡体積が大きくなることを示している。
図２および図３に示す特性から、油隙寸法を２ｍｍより狭くするほど周囲絶縁部材に損傷を与えなくなり、油入電気機器の絶縁信頼性が向上する。
【００１５】
油隙寸法が小さくなると、絶縁部材に油浸処理ができた油入電気機器に、例えば現地にて絶縁油を注入するとき、絶縁部材の部分に存在する絶縁油中の気泡が０．５ｍｍより小さいと、注油時の真空引き状態でも気泡が破壊されないで閉塞空間として残留する問題点がある。したがって、油隙寸法は０．５ｍｍ以上にすることが必要である。
【００１６】
上記の図２および図３の結果から、油隙寸法を０．５ｍｍより広く、２ｍｍよりも狭くすることで、残留気泡が存在する場合にも絶縁信頼性が確保された油入電気機器を構成することができる。
なお、コイル周囲に絶縁隔壁を配置する場合は、絶縁部材の変形等は避けられないので、形成される油隙にはバラツキがあり、２ｍｍ以下を目標とした油隙７は１〜１．５ｍｍ程度を目標値とすることで０．５〜２ｍｍの油隙寸法が確保できる。
【００１７】
実施の形態２．
実施の形態１では、高電界部分の油隙寸法を０．５ｍｍよりも広く、２ｍｍよりも狭くすることで気泡が残留した場合の絶縁信頼性が高くなる構成としたが、実施の形態２では、油隙寸法を２ｍｍよりも大きくする場合の実施の形態である。
【００１８】
図３において、図中の有害気泡性放電領域と安全領域の境界線１０に対して、上部が有害気泡性放電領域１１であり、曲線１０の下部が安全領域１２であるが、油隙寸法が２ｍｍをこえる場合は、絶縁隔壁６に損傷を与える有害気泡性放電が発生するのに必要な気泡体積は大きくなった特性を示している。このことは油隙寸法が２ｍｍをこえる場合は、油隙寸法を広くするほど気泡を考慮した絶縁耐力が向上し、絶縁信頼性が向上することを示すものである。
【００１９】
一方、油隙寸法と気泡中の電界強度の関係および油隙寸法と放電電荷量の関係は図４のようになっている。図４の横軸は絶縁隔壁に挟まれた油隙寸法であり、縦軸は電界および気泡により発生する見かけの部分放電電荷量である。曲線はそれぞれの電界と油隙寸法の関係とはトレードオフの関係にある。つまり油隙寸法が広くなると電界は低下するが、放電電荷量は大きくなる。このことから、油隙寸法を狭くすると、コイル部分の占有率を小さくすることができ、油入電気機器の損失が少なくなり効率が向上する構成となることを示すものである。
しかし、油隙が小さいと気泡が滞留した場合に抜けにくくなる問題があるので、油隙寸法は広く設定することも必要であり、図３の特性から油隙を２ｍｍよりも広く設定する場合は、実際の油入電気機器の効率を考慮すると１０ｍｍ程度が許容範囲である。また、油隙中の気泡が抜けるのには５ｍｍ程度あれば問題ないので、油隙寸法は５ｍｍ程度が好ましい寸法である。
【００２０】
高電界部分あるいは絶縁隔壁の間に形成される油隙寸法を２ｍｍよりも広く１０ｍｍよりも狭く設定すると、油隙中に気泡が残った場合にも抜けやすく、コイル部分の占有率も高く設定できる油入電気機器が構成できる。
【００２１】
実施の形態３．
油入電気機器のコイルは、絶縁導体を巻回して板状コイルを形成し、板状コイルの端部にはプレスボード等によりコイル端部の形状に合わせた形状に形成された絶縁隔壁を配置する構成であり、その積み重ねられたコイルの外周部は、図５に示すような状態となっている。即ちコイル素線１には絶縁紙テープを巻回した素線絶縁２を形成して絶縁導体３の外周に、複数層の絶縁隔壁６を配置し、絶縁隔壁６の相互間を適正寸法の油隙７が形成されるように構成されている。このように構成した場合、コイルを形成する素線絶縁２の外周に絶縁隔壁６を添着した場合に平面部を密着させるために、絶縁隔壁６内側の曲率半径が小さく加工されているので、素線絶縁２の外面と絶縁隔壁６の内面との間に油隙Ｇができる。
【００２２】
油隙Ｇの寸法が大きい場合に、注油時に気泡が残留した場合や過負荷時に気泡が発生した場合に、その気泡が大きくなると有害な気泡性部分放電が発生して絶縁部材に損傷を与えることになる。このような油隙Ｇに、充填部材２１を充填して、発生する気泡の体積を小さくすることができる。
充填部材２１としては、繊維状の絶縁材料をひも状に形成し、油隙形成部に沿わせて絶縁隔壁を添着することで大きな気泡の発生が抑制される状態が構成できる。
【００２３】
油隙Ｇの部分に発生する気泡の体積と有害気泡性放電の関係を図６に示す。図６は横軸に気泡の体積、縦軸に気泡性放電の開始電界として示したものである。
図６の関係は、気泡の体積が小さくなるほど放電開始電界は高くなって気泡性放電の発生が抑制される。即ち、気泡が存在しうる体積を小さくするほど絶縁耐力が向上することを示すものである。
図３に示しているとおり、横軸の油隙寸法を図５の絶縁隔壁６で囲まれた油隙寸法とし、縦軸は気泡体積であり、図中の境界線１０より上部の有害気泡性放電領域１１であるが、油隙寸法が２ｍｍ以下の領域においては、気泡体積が小さくなるほど有害気泡性放領域が高くなっており、気泡体積が小さくなるほど有害気泡性放電が抑制される。油隙寸法が２ｍｍを越える場合には気泡体積が大きくなるほど有害気泡性放電が抑制され、油隙寸法が２ｍｍよりも小さいと、どの油隙寸法の場合にも有害気泡性放電が発生しなくなる。
【００２４】
図６および図３の特性から、気泡体積を小さくするほど気泡を考慮した絶縁耐力が高くなる。したがって、油隙寸法が２ｍｍよりも狭い場合にできる気泡の体積は、５ｍｍ３以下であり、気泡の体積を５ｍｍ３以下にすることで絶縁部材に損傷を与える有害気泡性放電の発生が抑制され、絶縁信頼性の高い油入電気機器となる。
【図面の簡単な説明】
【００２５】
【図１】油入電気機器の高圧コイルの外周部の部分断面図である。
【図２】高電界部分の油隙に気泡が存在する場合の油隙寸法と気泡性放電の見かけの電荷量の関係を示すずである。
【図３】油隙寸法に対する有害気泡性放電が発生する気泡体積の関係を示す図である。
【図４】油隙寸法と気泡中の電界強度の関係および油隙寸法と放電電荷量の関係を示す図である。
【図５】板状コイルの端部の絶縁隔壁が配置された状態を示す部分構成図である。
【図６】油隙部分に発生する気泡の体積と有害気泡性放電の関係を示す図である。
【符号の説明】
【００２６】
１  素線導体、２  素線絶縁、３  絶縁導体、５  板状コイル、６  絶縁隔壁、
７  油隙、２１  充填部材。
【図１】
2005302802.tif 000003
【図２】
2005302802.tif 000004
【図３】
2005302802.tif 000005
【図４】
2005302802.tif 000006
【図５】
2005302802.tif 000007
【図６】
2005302802.tif 000008